(57)【要約】【課題】本発明の課題は、少ない資材で大小様々な床面積の工事現場に対応でき、かつ少ない労力で構成可能で、そして外部、内部両方からの衝撃に強い工事現場囲い構成体と、前記工事現場囲い用の支柱を提供することである。【解決手段】本発明の工事現場囲い構成体は、支柱の高さを調節し天井からシートを垂らす従来の工事現場囲い構成体とは異なり、天井の高さまではカバーしないが、床に設置された支柱にシートの一端を固定し、シートを床や天井と水平方向に展開して、同じく床に設置された他の支柱に他方のシート先端部分を固定し、この手順を繰り返すことにより最小限の資材で構成することができる。支柱は１本ずつ立てるため一人で組立可能であり、かつ補強バーで支柱同士を連結することにより耐衝撃性の高い工事現場囲い構成体が提供可能である。【選択図】図１
2013112934.tif 000002
【特許請求の範囲】
【請求項１】
工事現場囲い用の支柱で、柱状部と、これに直接又は間接に接続され床上に直立状態で保持するための土台部を有し、前記柱状部の側面に、支柱間を覆うシートが有する鳩目を通し、または前記シートに備え付けられた紐等その他の係止手段で前記シートを固定するための棒状体を有する複数のシート掛具と、前記支柱間を連結する補強バーを挿しかけるための補強バー掛具とを有することを特徴とする工事現場囲い用支柱。
【請求項２】
前記土台部が前記柱状部と分離可能で個々が重ねて保管可能であることを特徴とする請求項１記載の工事現場囲い用支柱。
【請求項３】
前記シート掛具の先端部分が折り曲げ可能なように前記棒状体の途中に回転結合部を有することを特徴とする請求項１又は請求項２記載の工事現場囲い用支柱。
【請求項４】
前記補強バー掛具が、それ自体に補強バーを掛けるための穴を有しているか、リング状で支柱外周とリングフレームの間に補強バーを掛けるための穴空間を備えることを特徴とする請求項１から請求項３のいずれか一つに記載の工事現場囲い用支柱。
【請求項５】
前記柱状部が、前記シートと、前記シートを巻き取る巻き取り棒と、前記シート及び前記巻き取り棒内包する外枠と、前記外枠に設けられたシート出入穴と、前記シートの引き出し状態を固定する固定具とを有し、前記シート出入穴から前記シートを引き出し、引き戻しを行い、前記固定具により前記シートの引き出し状態を固定することを可能としたことを特徴とする請求項１から請求項４のいずれか一つに記載の工事現場囲い用支柱。
【請求項６】
床上に立設された複数の前記工事現場囲い用支柱と、前記シート掛具に係止され、前記支柱の間を覆うシートと、前記補強バー掛具に係止された補強バーとを有することを特徴とする請求項１から請求項５のいずれか一つに記載の工事現場囲い用支柱を用いた工事現場囲い構成体。
【請求項７】
横バーとこれに接続し補強バー掛具に挿しかけるようにＬ字状に曲がった先端部を有することを特徴とする請求項６記載の工事現場囲い構成体に使用する補強バー。
【請求項８】
複数の前記横バーの間で相互に連結をしたことを特徴とする請求項７記載の
補強バー。
【発明の詳細な説明】
【技術分野】
【０００１】
本発明は、屋内工事の際に、作業により発生する粉塵の飛散や騒音を防止するための、工事現場囲い用支柱および工事現場囲い構成体とこれに使用する補強バーに関する。
【背景技術】
【０００２】
従来の工事現場囲い構成体を図５に示す。従来の工事現場囲い構成体５００は、天井５０１と床５０２との間に構成される閉鎖空間である。床５０２に垂直に設置される伸縮可能な支柱５０３と、シート５０４と、シート５０４を巻き取り可能とする図示されない棒状のランナーとで組み立てられる。複数の支柱５０３が床上に立てられ、ランナーは、横に這わせた状態で支柱５０３の上端と接続部において接続される。支柱５０３の突っ張りにより天井５０１に押し付けられたシート５０４が床５０２に向かって垂直下方に垂れるようになっている。
【０００３】
しかしながら、このような工事現場囲い構成体５００においては、作業場の床面積が大きい程多くの資材を要した。具体的には、シート５０４は天井から垂らすためのものであり横幅は大きくないため、広大な床面積の作業エリアをカバーするためには大量の支柱５０３、シート５０４およびランナーを要していた。特許文献１の発明は資材を減らすための構造を挙げているが、更に効果の大きい対策が望まれている。
また、工事現場囲い構成体５００の設置作業においては、ランナーの底面を上に向けてランナー底面の両端の接続部に支柱５０３を差し込んだ状態から、２本の支柱５０３と一緒にランナーを上向きに起こして支柱５０３を天井まで伸張させてシートを垂らすため、支柱と一緒にランナーを上向きに起こす際に２人で作業をする必要があった。
そして、天井まで届く程大きな構成体の組立作業には多大な労力を要するため、簡単に構成できる構成体が望まれている。
【先行技術文献】
【特許文献】
【０００４】
【特許文献１】特開２００４−１０７９８６
【発明の概要】
【発明が解決しようとする課題】
【０００５】
本発明の課題は、少ない資材で大小様々な床面積の工事現場に対応でき、かつ少ない労力で構成可能で、そして外部、内部両方からの衝撃に強い工事現場囲い構成体と、前記工事現場囲い用の支柱、補強バーを提供することである。
【課題を解決するための手段】
【０００６】
本発明の工事現場囲い構成体は、支柱の高さを調節し天井からシートを垂らす従来の工事現場囲い構成体とは異なり、天井の高さまではカバーしないが、床に設置された支柱にシートの一端を固定し、シートを床や天井と水平方向に展開して、同じく床に設置された他の支柱に他方のシート先端部分を固定し、この手順を繰り返すことにより最小限の資材で構成することができる。支柱は１本ずつ立てるため一人で組立可能であり、かつ補強バーで各支柱を連結することにより耐衝撃性の高い工事現場囲い構成体が提供可能である。
【０００７】
請求項１記載の発明は、工事現場囲い用支柱であって、工事現場囲い用の支柱で、柱状部と、これに直接又は間接に接続され床上に直立状態で保持するための土台部を有し、前記柱状部の側面に、支柱間を覆うシートが有する鳩目を通し、または前記シートに備え付けられた紐等その他の係止手段で前記シートを固定するための棒状体を有する複数のシート掛具と、前記支柱間を連結する補強バーを挿しかけるための補強バー掛具とを有することを特徴とする。
【０００８】
請求項２記載の発明は、請求項１記載の工事現場囲い用支柱において、前記土台部が前記柱状部と分離可能で個々が重ねて保管可能であることを特徴とする。
【０００９】
請求項３記載の発明は、請求項１又は請求項２記載の工事現場囲い用支柱において、前記シート掛具の先端部分が折り曲げ可能なように前記棒状体の途中に回転結合部を有することを特徴とする。
【００１０】
請求項４記載の発明は、請求項１から請求項３のいずれか一つに記載の工事現場囲い用支柱において、前記補強バー掛具が、それ自体に補強バーを掛けるための穴を有しているか、リング状で支柱外周とリングフレームの間に補強バーを掛けるための穴空間を備えることを特徴とする。
【００１１】
請求項５記載の発明は、請求項１から請求項４のいずれか一つに記載の工事現場囲い用支柱において、前記柱状部が、前記シートと、前記シートを巻き取る巻き取り棒と、前記シート及び前記巻き取り棒内包する外枠と、前記外枠に設けられたシート出入穴と、前記シートの引き出し状態を固定する固定具とを有し、前記シート出入穴から前記シートを引き出し、引き戻しを行い、前記固定具により前記シートの引き出し状態を固定することを可能としたことを特徴とする。
【００１２】
請求項６記載の発明は、請求項１から請求項５のいずれか一つに記載の工事現場囲い用支柱を用いた工事現場囲い構成体であって、床上に立設された複数の前記工事現場囲い用支柱と、前記シート掛具に係止され、前記支柱の間を覆うシートと、前記補強バー掛具に係止された補強バーとを有することを特徴とする。
【００１３】
請求項７記載の発明は、請求項６記載の工事現場囲い構成体に使用する補強バーであって、横バーとこれに接続し補強バー掛具に挿しかけるようにＬ字状に曲がった先端部を有することを特徴とする。
【００１４】
請求項８記載の発明は、請求項７記載の補強バーにおいて、複数の前記横バーの間で相互に連結をしたことを特徴とする。
【発明の効果】
【００１５】
以上の様に構成されているので、本発明による工事現場囲い構成体は、天井までの高さをカバーするものではないが、少ない資材で大小様々な床面積の工事現場をカバーすることができ、かつ少ない労力で簡単に構成することを可能としたうえ、補強バーにより外部、内部両方からの衝撃に強い構造となっており、非常に利便性が高い。
【図面の簡単な説明】
【００１６】
【図１】本発明の工事現場囲い用の支柱の一実施態様を示す図である。
【図２】図１の支柱を用いた工事現場囲い構成体の一実施態様を示す図である。
【図３】本発明の工事現場囲い用の支柱の他の実施態様を示す図である。
【図４】図３の支柱を用いた工事現場囲い構成体の一実施態様を示す図である。
【図５】従来の一般的な工事現場囲い構成体を示す図である。
【発明を実施するための形態】
【００１７】
本発明の工事現場囲い構成体は、支柱の高さを調節し天井からシートを垂らす従来の工事現場囲い構成体とは異なり、天井の高さまではカバーしないが、少ない資材と労力で大小様々な床面積を覆うことができるものであり、具体的には、床に設置された支柱にシートの一端を固定し、シートを床や天井と水平方向に展開して、同じく床に設置された他の支柱に他方のシート先端部分を固定し、この手順を繰り返すことにより構成体を形成し、かつ補強バーで各支柱を連結することにより構成体に耐衝撃性を付加したものである。
【００１８】
図１は、本発明の工事現場囲い用の支柱の一実施態様を示す図である。
１−Ａの支柱１００は、柱状部１０１と、柱状部１０１と分離可能でそれぞれ重ねて保管可能な柱状部１０１をはめ込むための御椀型の土台部１０２と、シート掛具１０３と補強バー掛具１０４を有する。ここで、シート掛具１０３は、柱状部１０１の側面に複数設けられた棒状体で、シートの縁にある鳩目部分に通し、またはシートに備え付けられる紐等その他の係止手段で前記シートを固定するためのものである。補強バー掛具１０４は、柱状部１０１に複数設けられ、支柱１００同士を連結して工事現場囲い構成体を補強するための補強バーを掛けるためのものである。
柱状部１０１の形状は、図１では円柱で記載されているが四角柱等その他の形状とすることを妨げない。土台部１０２は御椀型でそれぞれ重ねて保管可能なため、保管時に場所をとらない。シート掛具１０３と補強バー掛具１０４は、それぞれ柱状部１０１の外周上の上部、中部、下部をカバーできるように、一定の高さ間隔ごとに少なくとも三つ、一列に上下に並べて配置されることが望ましい。これらシート掛具１０３群は柱状部１０１上に２列、補強バー掛具１０４群は１列設けられ、その配置としては、２列目のシート掛具１０３群は１列目のシート掛具１０３群に対して、支柱１０１の外周上において時計回り方向９０度の位置に配置し、さらに外周上で２列のシート掛具１０３群がある反対側（裏側）に、補強バー掛具１０４群の列を配置する。
一方、１−Ｂは１−Ａと異なり、シート掛具１０３と補強バー掛具１０４に対応する部分としてそれぞれ、柱状部１０１の外周上を上下左右にスライド回転可能な、シート掛リング１０５と補強バー掛スペーサ１０６が設けられている。
シート掛リング１０５は、途中に回転結合部を設けることで先端部分を折り曲げ可能なシート掛具１０５Ａを二つ有し、これらのシート掛具１０５Ａは、一方のシート掛具が他方のシート掛具に対してシート掛リング１０５の外周上で時計回り方向９０度の位置に配置され、またリング固定ネジ１０５Ｂによりシート掛リング１０５を締め付け、柱状部１０１上の任意の位置で固定可能である。
補強バー掛スペーサ１０６はリング状で、柱状部１０１に対して前後左右いずれの方向からも補強バーを掛けることが可能な穴空間を作るものであり、前記穴空間は柱状部１０１とスペーサのフレームとの間に設けるか、スペーサのフレーム自体に穴を開けることにより設ける。補強バー掛スペーサ１０６はスペーサ固定ネジ１０６Ａにより補強バー掛スペーサ１０６を締め付け、柱状部１０１上の任意の位置で固定可能である。
【００１９】
図２は、図１の支柱１００を応用した工事現場囲い構成体の一実施態様を示す図である。工事現場囲い構成体２００は、床２０１の上に設置された複数の支柱１００と、これに敷設されたシートで囲み構成された囲い体である。各支柱１００同士は、補強バー２０３で連結して補強される。シート２０２は、シート掛具１０３ないしは１０５Ａに掛けられる。
支柱１００の配置は、それぞれシート掛具１０３、１０５Ａが工事現場囲い構成体２００の外側を、補強バー掛具１０４が工事現場囲い構成体２００の内側を向くようにする。
シート２０２は、例えばビニールなど粉塵を防ぐことができる素材で、色は外部から工事現場囲い構成体２００内の作業の様子が見えるように、透明であることが好ましい。シート２０２は、その縁にシート掛具１０３、１０５Ａに通すための鳩目２０４が複数設けられ、各支柱１００に掛けられることにより工事現場囲い構成体２００の各側面を構成する。ここで、シート２０２が紐等その他の係止手段を有する場合は、これを用いてシート２０２をシート掛具１０３、１０５Ａに固定してもよい。また、補強バー２０３を、各支柱１００の補強バー掛具１０４ないしは補強バー掛スペーサ１０６のスペースまたは穴に掛けて支柱１００同士を連結することにより、工事現場囲い構成体２００を補強している。
補強バー２０３は、各支柱１００の間隔に応じて伸縮可能なものであり、固定ネジ２０５で任意の長さで固定できる。
工事現場囲い構成体２００は、横幅の大きいシートを使用することで、シートと支柱それぞれ四つで四角形の構造を構成できるため、比較的小規模な床面積の範囲の作業に適している。また、従来の工事現場囲い構成体と異なり支柱を1本ずつ設置していくため、一人でも簡単に組立作業ができる他、補強バーにより外部、内部両方からの衝撃に強い。また、補強バーは、シートを保持する役割も行う（補強バーが無い場合は、押すとシートが凹むが、ある場合は、これに支えられてシートの凹みが小さくなる）ので、補強バーを適当な間隔でしようするか、補強バー同士を連結したバー構成（例えば横に渡した補強バー間を縦または斜めに連結する）にすることで更に強い補強が可能である。
【００２０】
図３は、本発明の工事現場囲い用の支柱の他の実施態様を示す図である。
支柱３００はシート３０１の一端が固定可能でシートを巻き取り可能な巻き取り棒３０２と、シート３０１および巻き取り棒３０２を内包する外枠３０３と、外枠３０３の底部に設けられた柱状部３０４と、柱状部３０４と分離可能でそれぞれ重ねて保管可能な、柱状部３０４をはめ込むための御椀型の土台部３０５と、外枠３０３の外周上に面の上部、中部、下部をカバーできるように一定の高さ間隔ごとに少なくとも三つ、一列に上下に並べて配置される、シート３０１を掛けるためのシート掛具３０６と、外枠３０３の外周上において上記シート掛具３０６が配置された面から反時計回り方向９０度、１８０度に位置する面の上部、中部、下部をカバーできるように一定の高さ間隔ごとに各面につき少なくとも三つずつ、一列に上下に並べて配置される、支柱３００同士を連結して工事現場囲い構成体を補強する補強バーを掛けるための補強バー掛具３０７を有している。
シート３０１には、シート掛具３０６に通すための鳩目３０８が縁に複数設けられており（紐等、シート３０１をシート掛具３０６に固定するためのその他の係止手段をシート３０１に備え付けてもよい）、また、外枠３０３において、シート掛具３０６が配置された面と反対側の側面にシート出入口を設けることにより、上記シート出入口からシート３０１を引き出すことができる。シート出入口を設ける方法としては、上記の側面の板の長さを短くしておく方法、引き戸のように板を横にスライドさせる方法、板に取手を設けて板を前後方向に開閉させる方法等が考えられる。シート３０１の長さは引き出す量を調節することにより調節可能で、これにより工事現場囲い構成体の大きさを自由に変えることができる。尚、柱状部３０４が無く、柱状部３０４が直接土台部３０５に接続した構成も可能である。土台部３０５は、御椀型以外に十字に開いた脚体など安定に支柱を立てる構成であればなんでも可能である。尚、土台部３０５のみを分離して保管しやすいように、これを積み重ねや折りたたみできる構成も大変便利である。
【００２１】
図４は、図３の支柱３００を応用した工事現場囲い構成体の一実施態様を示す図である。工事現場囲い構成体４００は、床４０１の上に設置された支柱３００と、支柱３００のシート掛具３０６に掛けられたシート４０２で囲まれた空間を覆い、かつ支柱３００同士を補強バー４０３で連結して補強された構成体である。
支柱３００は、シート掛具３０６が工事現場囲い構成体４００の外側を、補強バー掛具３０７が工事現場囲い構成体４００の内側を向くように配置する。
シート４０２は、図２と同様に粉塵を防ぐ素材で、外部から工事現場囲い構成体４００内の作業の様子が見えるように、透明であることが好ましい。
シート４０２は、縁にシート掛具３０６に通すための鳩目４０４が複数設けられ、支柱３００に掛けられることにより工事現場囲い構成体４００の側面を構成する。ここで、シート４０２が紐等その他の係止手段を有する場合は、これを用いてシート４０２をシート掛具３０６に固定してもよい。また、補強バー４０３を、支柱３００の補強バー掛具３０７に掛けて支柱３００同士を連結することにより、工事現場囲い構成体４００を補強している。
補強バー４０３は、支柱３００の間隔に応じて伸縮可能なものであり、固定ネジ２０５により任意の長さで固定できる。
この工事現場囲い構成体４００は、図２の工事現場囲い構成体と同様に一人で組立作業ができ、補強バーによる補強がされている他、シート４０２の引出量調節（引き出した後、固定具で固定する）により大きさを自由に変えることで、少ない資材で広範囲の床面積での作業にも対応できるため、利便性が高い。
【産業上の利用可能性】
【００２２】
以上のように本発明による工事現場囲い構成体は、天井までの高さをカバーするものではないが、少ない資材で大小様々な床面積の工事業場をカバーすることができ、かつ少ない労力で構成することができるため非常に簡便であり、かつ補強バーにより外部、内部両方からの衝撃に強いため、産業上の利用性が極めて大きい。
【符号の説明】
【００２３】
１００    支柱
１０１    柱状部
１０２    土台部
１０３    シート掛具
１０４    補強バー掛具
１０５    シート掛リング
１０５Ａ  シート掛具
１０５Ｂ  リング固定ネジ
１０６    補強バー掛スペーサ
１０６Ａ  スペーサ固定ネジ
２００    工事現場囲い構成体
２０１    床
２０２    シート
２０３    補強バー
２０４    鳩目
２０５    固定ネジ
３００    支柱
３０１    シート
３０２    巻き取り棒
３０３    外枠
３０４    柱状部
３０５    土台部
３０６    シート掛具
３０７    補強バー掛具
３０８    鳩目
４００    工事現場囲い構成体
４０１    床
４０２    シート
４０３    補強バー
４０４    鳩目
５００    工事現場囲い構成体
５０１    天井
５０２    床
５０３    支柱
５０４    シート
【図１】
2013112934.tif 000003
【図２】
2013112934.tif 000004
【図３】
2013112934.tif 000005
【図４】
2013112934.tif 000006
【図５】
2013112934.tif 000007